(57)【要約】【課題】光強度が低い環境下で照度を高める電気コネクタを提供する。【解決手段】電子機器に応用する電気コネクタ１０は、収容部１２２を有し、透明材料又は半透明材料からなる本体１２と、本体１２の外表面に配設され、ユーザが触れるとトリガ信号ＴＳを発生させるタッチユニット１４と、タッチユニット１４と接続され、収容部１２２に収容され、トリガ信号ＴＳを受信して電圧を出力する処理モジュール１６と、処理モジュール１６と接続され、収容部１２２に収容され、電圧Ｖの供給を受けて光線Ｌを発生させ、光線Ｌが本体１２及びタッチユニット１４を透過して電子機器に達するまで発射される光源ユニット１８と、電子機器に接続される第１の端子２０２と、電流Ｉ，Ｉ’及びデータＤＡ，ＤＡ’を受け取る第２の端子２０４とを有し、本体１２へ固定される接続モジュール２０とを備える。【選択図】図１
2014222643.tif 000002
【特許請求の範囲】
【請求項１】
電子機器に応用する電気コネクタであって、
収容部を有し、透明材料又は半透明材料からなる本体と、
前記本体の外表面に配設され、ユーザが触れるとトリガ信号を発生させるタッチユニットと、
前記タッチユニットと接続され、前記収容部に収容され、前記トリガ信号を受信して電圧を出力する処理モジュールと、
前記処理モジュールと接続され、前記収容部に収容され、電圧の供給を受けて光線を発生させ、前記光線が前記本体及び前記タッチユニットを透過して前記電子機器に達するまで発射される光源ユニットと、
前記電子機器に接続される第１の端子と、電流及びデータを受け取る第２の端子と、を有し、前記本体へ固定される接続モジュールと、を備えることを特徴とする、電気コネクタ。
【請求項２】
前記本体は、二酸化ケイ素、ポリエチレン、ポリプロピレン、ポリ塩化ビニル、ポリカーボネート、ポリメタクリレート、ポリエチレンテレフタレート及びポリカーボネート系のうちの少なくとも何れか１つからなることを特徴とする、請求項１に記載の電気コネクタ。
【請求項３】
前記タッチユニットは、容量式タッチフィルム、誘導導線及び抵抗式タッチフィルムのうちの少なくとも何れか１つからなることを特徴とする、請求項１に記載の電気コネクタ。
【請求項４】
前記処理モジュールは、電圧ユニットを含み、
前記電圧ユニットは電圧を蓄え、
前記電圧により前記光源ユニットを駆動して光線を発生させることを特徴とする、請求項１に記載の電気コネクタ。
【請求項５】
前記電圧ユニットは、二次電池及びコンデンサのうちの少なくとも何れか１つであることを特徴とする、請求項４に記載の電気コネクタ。
【請求項６】
前記処理モジュールは、複数のスイッチユニットを含み、
前記スイッチユニットのそれぞれは、３つの電極を有する半導体デバイスであり、
前記半導体デバイスの第１の電極は前記トリガ信号を受信し、
前記半導体デバイスの第２の電極は前記光源ユニットに接続され、
前記半導体デバイスの第３の電極は、前記電圧ユニットに接続され、
前記第２の電極、前記光源ユニット、前記第３の電極及び前記電圧ユニットは、直列接続されることを特徴とする、請求項４に記載の電気コネクタ。
【請求項７】
前記半導体デバイスは、ＭＯＳＦＥＴであり、
前記ＭＯＳＦＥＴの第１電極はゲートであり、第２電極はドレインであり、第３電極はソースであることを特徴とする、請求項６に記載の電気コネクタ。
【請求項８】
前記接続モジュールは、第１の制御ユニットを含み、
前記第１の制御ユニットは、前記第１の端子、前記第２の端子及び前記タッチユニットと接続され、
前記タッチユニットは、トリガ信号を発生させて前記第１の制御ユニットをトリガし、
前記第１の制御ユニットは、前記トリガ信号により前記第１の端子と前記第２の端子との接続を決定することを特徴とする、請求項１に記載の電気コネクタ。
【請求項９】
前記接続モジュールは、第２の制御ユニットを含み、
前記第２の制御ユニットは、前記第１の端子、前記第２の端子及び前記処理モジュールと接続され、
前記処理モジュールは電圧を出力して前記第２の制御ユニットをトリガし、
前記第２の制御ユニットは、前記電圧により前記第１の端子と前記第２の端子との接続を決定することを特徴とする、請求項１に記載の電気コネクタ。
【請求項１０】
前記本体に固定されて前記第２の端子に接続されたケーブルをさらに備えることを特徴とする、請求項１に記載の電気コネクタ。
【発明の詳細な説明】
【技術分野】
【０００１】
本発明は、電気コネクタに関し、特に、光強度が低い環境下で照度を高める電気コネクタに関する。
【背景技術】
【０００２】
従来、複数の電子機器間では、データ又は電流の送受信はケーブルを介して行う。電子機器とは、例えば、携帯型電源、モバイル機器、タブレット型パソコン、充電器、キーボード、充電式マウスなどでもよい。
【０００３】
ケーブルは、線材本体及び電気コネクタを含む。これら複数の電子機器は、電気コネクタに接続された電気接続モジュールを有する。ユーザがケーブルを便利に携帯できるように、従来技術では線材本体及び電気コネクタの体積、特に電気コネクタの体積が小型化されている。
【０００４】
上述したように従来技術のケーブルは携帯することが便利であったが、同時に他の問題が生じた。この問題とは、電気接続モジュールへ小型化された電気コネクタを正確に挿入することが困難であるという点である。特に、光強度が低い環境では、電気接続モジュール及び電気コネクタの位置がユーザからよく見えないため、電気コネクタと電気接続モジュールとを接続させることが困難であった。
【０００５】
そのため、従来技術の問題点を解決する技術が求められていた。
【発明の概要】
【発明が解決しようとする課題】
【０００６】
本発明の第１の目的は、ユーザがタッチユニットに触れると、タッチユニットが発生させたトリガ信号により光源ユニットを駆動させて光線を発生させるため、光強度が低い環境下でも光強度の総和が増大され、ユーザは容易かつ正確に接続モジュールと電子機器とを接続させることができる電気コネクタを提供することにある。
【０００７】
本発明の第２の目的は、電子機器へ接続させ、ユーザがタッチユニットに触れると、タッチユニットがトリガ信号を発生させ、電子機器のオン又はオフを操作することにより、電子機器に流れる電流を節減させることができる電気コネクタを提供することにある。
【０００８】
本発明の第３の目的は、電子機器へ接続させ、ユーザがタッチにユニットに触れると、タッチユニットがトリガ信号を発生させ、外部から受け取った電流又はデータを電子機器へ伝送するか否かを決定することができる電気コネクタを提供することにある。
【課題を解決するための手段】
【０００９】
上記課題を解決するために、本発明の第１の形態によれば、電子機器に応用する電気コネクタであって、収容部を有し、透明材料又は半透明材料からなる本体と、前記本体の外表面に配設され、ユーザが触れるとトリガ信号を発生させるタッチユニットと、前記タッチユニットと接続され、前記収容部に収容され、前記トリガ信号を受信して電圧を出力する処理モジュールと、前記処理モジュールと接続され、前記収容部に収容され、電圧の供給を受けて光線を発生させ、前記光線が前記本体及び前記タッチユニットを透過して前記電子機器に達するまで発射される光源ユニットと、前記電子機器に接続される第１の端子と、電流及びデータを受け取る第２の端子と、を有し、前記本体へ固定される接続モジュールと、を備えることを特徴とする、電気コネクタが提供される。
【００１０】
前記本体は、二酸化ケイ素、ポリエチレン、ポリプロピレン、ポリ塩化ビニル、ポリカーボネート、ポリメタクリレート、ポリエチレンテレフタレート及びポリカーボネート系のうちの少なくとも何れか１つからなることが好ましい。
【００１１】
前記タッチユニットは、容量式タッチフィルム、誘導導線及び抵抗式タッチフィルムのうちの少なくとも何れか１つからなることが好ましい。
【００１２】
前記処理モジュールは、電圧ユニットを含み、前記電圧ユニットは電圧を蓄え、前記電圧により前記光源ユニットを駆動して光線を発生させることが好ましい。
【００１３】
前記電圧ユニットは、二次電池及びコンデンサのうちの少なくとも何れか１つであることが好ましい。
【００１４】
前記処理モジュールは、複数のスイッチユニットを含み、前記スイッチユニットのそれぞれは、３つの電極を有する半導体デバイスであり、前記半導体デバイスの第１の電極は前記トリガ信号を受信し、前記半導体デバイスの第２の電極は前記光源ユニットに接続され、前記半導体デバイスの第３の電極は、前記電圧ユニットに接続され、前記第２の電極、前記光源ユニット、前記第３の電極及び前記電圧ユニットは、直列接続されることが好ましい。
【００１５】
前記半導体デバイスは、ＭＯＳＦＥＴであり、前記ＭＯＳＦＥＴの第１電極はゲートであり、第２電極はドレインであり、第３電極はソースであることが好ましい。
【００１６】
前記接続モジュールは、第１の制御ユニットを含み、前記第１の制御ユニットは、前記第１の端子、前記第２の端子及び前記タッチユニットと接続され、前記タッチユニットは、トリガ信号を発生させて前記第１の制御ユニットをトリガし、前記第１の制御ユニットは、前記トリガ信号により前記第１の端子と前記第２の端子との接続を決定することが好ましい。
【００１７】
前記接続モジュールは、第２の制御ユニットを含み、前記第２の制御ユニットは、前記第１の端子、前記第２の端子及び前記処理モジュールと接続され、前記処理モジュールは電圧を出力して前記第２の制御ユニットをトリガし、前記第２の制御ユニットは、前記電圧により前記第１の端子と前記第２の端子との接続を決定することが好ましい。
【００１８】
前記本体に固定されて前記第２の端子に接続されたケーブルをさらに備えることが好ましい。
【発明の効果】
【００１９】
本発明の電気コネクタは、従来技術と比べ、データ及び電流を伝送し、光強度が低い環境下でも電気コネクタが発射する光線により光強度の総和を増大させることができるため、ユーザは容易かつ正確に電子機器へ接続させることができる。
【図面の簡単な説明】
【００２０】
【図１】図１は、本発明の第１実施形態に係る電気コネクタを示す構成図である。
【図２】図２は、本発明の第１実施形態に係る電気コネクタを示す斜視図である。
【図３】図３は、本発明の第１実施形態に係る電気コネクタを示す回路図である。
【図４】図４は、本発明の第２実施形態に係る電気コネクタを示す構成図である。
【図５】図５は、本発明の第３実施形態に係る電気コネクタを示す構成図である。
【発明を実施するための形態】
【００２１】
以下、本発明の実施形態について図に基づいて説明する。なお、これによって本発明が限定されるものではない。
（第１実施形態）
図１を参照する。図１は、本発明の第１実施形態に係る電気コネクタを示す構成図である。図１に示すように、電気コネクタ１０は、図２の電気接続モジュール２２を有する電子機器２へ接続するために用いる。電子機器２とは、携帯型電源、モバイル機器、タブレット型パソコン、充電器、キーボード、充電式マウスなどでもよい。第１実施形態の電子機器２では、携帯電話を例にとり説明する。電気コネクタ１０が電気接続モジュール２２に挿入された後、電子機器２内に保存されたデータＤＡ及び電流Ｉを、電気コネクタ１０を介して電子機器２の外部へ導出させたり、外部からのデータＤＡ’及び電流Ｉ’を電気コネクタ１０を介して電子機器２が受け取ったりする。
【００２２】
図１を再び参照する。図１に示すように、第１実施形態の電気コネクタ１０は、本体１２、タッチユニット１４、処理モジュール１６、光源ユニット１８及び接続モジュール２０を含む。
【００２３】
本体１２は、収容部１２２を有する。収容部１２２には、処理モジュール１６と、光源ユニット１８と、接続モジュール２０の一部とが収容される。本体１２は、光源ユニット１８において発生した光線Ｌが本体１２を透過するように、透光性が高い材料からなる。例えば、本体１２は、二酸化ケイ素（ｓｉｌｉｃｏｎ  ｄｉｏｘｉｄｅ）、ポリエチレン（ｐｏｌｙｅｔｈｙｌｅｎｅ）、ポリプロピレン（ｐｏｌｙｐｒｏｐｙｌｅｎｅ）、ポリ塩化ビニル（ｐｏｌｙｖｉｎｙｌ  ｃｈｌｏｒｉｄｅ）、ポリカーボネート（ｐｏｌｙｃａｒｂｏｎａｔｅ）、ポリメタクリレート（ｐｏｌｙｍｅｔｈａｃｒｙｌａｔｅ）、ポリエチレンテレフタレート（ｐｏｌｙｅｔｈｙｌｅｎｅ  ｔｅｒｅｐｈｔｈａｌａｔｅ）及びポリカーボネート系のうちの少なくとも何れか１つからなってもよい。
【００２４】
タッチユニット１４は、本体１２の外表面に配設される。例えば、タッチユニット１４は、容量式タッチフィルム、誘導導線及び抵抗式タッチフィルムのうちの少なくとも何れか１つからなってもよい。本体１２の光線Ｌが電気コネクタ１０の外側に達するように、タッチユニット１４を透光性が高い材料で製作し、光線Ｌがタッチユニット１４を透過するようにしてもよい。第１実施形態のタッチユニット１４は、容量式タッチフィルムを例にとり説明する。容量式タッチフィルムは、本体１２の外表面の一部又は全体に貼着される。容量式タッチフィルムにユーザが触れると、容量式タッチフィルムの容量値が変化し、トリガ信号ＴＳが発生する。
【００２５】
処理モジュール１６は、タッチユニット１４に接続される。処理モジュール１６は、トリガ信号ＴＳを受信した後、電圧Ｖを出力する。
【００２６】
光源ユニット１８は、処理モジュール１６に接続される。例えば、光源ユニット１８は、発光ダイオードでもよい。光源ユニット１８は、電圧Ｖの供給を受けた後、処理モジュール１６に供給された電圧Ｖにより駆動されて光線Ｌを発生させる。光線Ｌは、透光性が高い本体１２と、透光性が高いタッチユニット１４とを透過し、光線Ｌが電子機器２へ発射され、電子機器２に隣接した電気接続モジュール２２の光強度の総和を高める。
【００２７】
接続モジュール２０は、第１の端子２０２及び第２の端子２０４を含む。第１の端子２０２には、収容部１２２が突設され、第２の端子２０４は、収容部１２２に固定される。第１の端子２０２は、電子機器２に接続され、第２の端子２０４からデータＤＡ及び電流Ｉを受け取る。接続モジュール２０は、ＩＥＥＥ１３９４、ユニバーサルシリアルバス（ｕｎｉｖｅｒｓａｌ  ｓｅｒｉａｌ  ｂｕｓ）、マイクロＵＳＢ（ｍｉｃｒｏ  ＵＳＢ）、ミニＵＳＢ（ｍｉｎｉ  ＵＳＢ）、アップル社製３０ピンコネクタ（Ａｐｐｌｅ  ３０−ｐｉｎ  ｄｏｃｋ）及びＡｐｐｌｅ  ｌｉｇｈｔｎｉｎｇの標準規格に準拠する。
【００２８】
図３を参照する。図３は、本発明の第１実施形態に係る電気コネクタを示す回路図である。図３に示すように、処理モジュール１６’は、電圧ユニット１６２、第１のスイッチユニット１６４、第２のスイッチユニット１６６、コンデンサ１６８、第１の抵抗器１６１０及び第２の抵抗器１６１２を含む。
【００２９】
電圧ユニット１６２は、電圧Ｖを蓄える。電圧ユニット１６２は、例えば、二次電池及びコンデンサのうちの少なくとも何れか１つからなってもよい。
【００３０】
第１のスイッチユニット１６４及び第２のスイッチユニット１６６は、３つの電極を有する半導体デバイスである。半導体デバイスは、例えばＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）であり、ＭＯＳＦＥＴの第１電極はゲートであり、第２電極はソースであり、第３電極はドレインである。
【００３１】
本発明の第１実施形態において、第１のスイッチユニット１６４はＰチャネルエンハンスメント型ＭＯＳＦＥＴであり、第２のスイッチユニット１６６はＮチャネルエンハンスメント型ＭＯＳＦＥＴである。
【００３２】
処理モジュール１６’の回路構成は、第１の回路２４、第２の回路２６及び第３の回路２８の３つの部分に分けられる。
【００３３】
第１の回路２４は、電圧ユニット１６２、第１の抵抗器１６１０及びタッチユニット１４から構成される。第１の回路２４は、第１のゲート電圧ＶＧ１を第１のスイッチユニット１６４の第１のゲートＧ１へ出力し、第１のソースＳ１と第１のドレインＤ１とを接続するか否かを決定する。
【００３４】
第１のスイッチユニット１６４の動作原理によると、第１のゲートＧ１に第１のゲート電圧ＶＧ１が印加されると、第１のドレインＤ１及び第１のソースＳ１が導通状態、即ち、第１のドレインＤ１と第１のソースＳ１とが接続された状態となる。反対に、第１のゲートＧ１に第１のゲート電圧ＶＧ１が印加されていない場合、第１のドレインＤ１と第１のソースＳ１とが遮断した状態、即ち、第１のドレインＤ１と第１のソースＳ１とが接続されていない状態となる。
【００３５】
第２の回路２６は、第１のスイッチユニット１６４、第２の抵抗器１６１２及びコンデンサ１６８から構成される。第２の回路２６は、第２のゲート電圧ＶＧ２を第２のスイッチユニット１６６の第２のゲートＧ２へ出力し、第２のソースＳ２と第２のドレインＤ２とを接続するか否かを決定する。
【００３６】
第２の回路２６の動作原理によると、第１のスイッチユニット１６４の第１のドレインＤ１と第１のソースＳ１とが導通状態になると、電圧ユニット１６２が第２の回路２６において第１の電流Ｉ１を発生させる。第１の電流Ｉ１が第２の抵抗器１６１２において第２のゲート電圧ＶＧ２を発生させると、第２のドレインＤ２と第２のソースＳ２とが導通状態となる。反対に、第１のスイッチユニット１６４の第１のドレインＤ１と第１のソースＳ１とが遮断した状態になると、第２の回路２６には第１の電流Ｉ１が発生しない状態となる。第２のスイッチユニット１６６の第２のゲートＧ２に第２のゲート電圧ＶＧ２が発生しない場合、第２のドレインＤ２と第２のソースＳ２とが遮断した状態となる。
【００３７】
第３の回路２８は、光源ユニット１８と第２のスイッチユニット１６６とから構成される。第３の回路２８中において、第２のスイッチユニット１６６の第２のソースＳ２と第２のドレインＤ２とが接続されると、電圧Ｖが光源ユニット１８へ出力される。また、その逆も然りである。
【００３８】
第３の回路２８の動作原理によると、第２のスイッチユニット１６６の第２のドレインＤ２と第２のソースＳ２とが導通状態になると、電圧ユニット１６２の電圧Ｖが第３の回路２８において第２の電流Ｉ２を発生させ、光源ユニット１８が第２の電流Ｉ２により光線Ｌを発生させる。反対に、第２のドレインＤ２と第２のソースＳ２とが遮断した状態になると、電圧ユニット１６２及び光源ユニット１８が第３の回路２８において第２の電流Ｉ２を発生させないため、光源ユニット１８には光線Ｌが発生しない。
【００３９】
ここで、トリガ信号ＴＳは電圧を有する信号である。そのため、トリガ信号ＴＳは第１のゲート電圧ＶＧ１として使用することができる。
【００４０】
第１の回路２４において、ユーザがタッチユニット１４に触れると、タッチユニット１４にトリガ信号ＴＳが発生する。このトリガ信号ＴＳにより、第１のドレインＤ１と第１のソースＳ１とが導通状態となる。反対に、ユーザがタッチユニット１４に触れない場合、第１のドレインＤ１と第１のソースＳ１とが遮断した状態となる。
【００４１】
そのため、ユーザは、トリガ信号ＴＳにより第１の回路２４、第２の回路２６及び第３の回路２８の動作を制御し、光源ユニット１８に光線Ｌが発生するか否かを決定することができる。
（第２実施形態）
図４を参照する。図４は、本発明の第２実施形態に係る電気コネクタを示す構成図である。図４に示すように、電気コネクタ１０’は、本体１２、タッチユニット１４、処理モジュール１６、光源ユニット１８及び接続モジュール２０以外に、ケーブル３０を含む。本体１２、タッチユニット１４、処理モジュール１６、光源ユニット１８及び接続モジュール２０に関しては第１実施形態において既に説明しているためここでは繰り返して述べない。
【００４２】
ケーブル３０は、本体１２に固定され、接続モジュール２０の第２の端子２０４に接続される。ケーブル３０は、第２の端子２０４に接続されている。
【００４３】
接続モジュール２０は、図２の電子機器２の電気接続モジュール２２と接続され、ケーブル３０は、他の電子機器（図示せず）と接続されてもよい。
【００４４】
上述の接続方式により、電子機器２のデータＤＡ及び電流Ｉは、接続モジュール２０の第１の端子２０２から第２の端子２０４へ送られ、データＤＡ及び電流Ｉが第２の端子２０４からケーブル３０へ送られる。最後にケーブル３０を介してデータＤＡ及び電流Ｉが他の電子機器へ送られる。反対に、電子機器２は、第１の端子２０２、第２の端子２０４及びケーブル３０を介して他の電子機器（図示せず）が発生させたデータＤＡ’及び電流Ｉ’を受け取る。
（第３実施形態）
図５を参照する。図５は、本発明の第３実施形態に係る電気コネクタを示す構成図である。図５に示すように、電気コネクタ１０’’は、本体１２、タッチユニット１４、処理モジュール１６、光源ユニット１８及び接続モジュール２０以外に、第１の制御ユニット３２及び第２の制御ユニット３４を含む。本体１２、タッチユニット１４、処理モジュール１６、光源ユニット１８及び接続モジュール２０に関しては第１実施形態において既に説明しているためここでは繰り返して述べない。
【００４５】
第１の制御ユニット３２は、第１の端子２０２、第２の端子２０４及びタッチユニット１４と接続される。タッチユニット１４には、トリガ信号ＴＳが発生して第１の制御ユニット３２をトリガし、第１の制御ユニット３２は、トリガ信号ＴＳにより第１の端子２０２を第２の端子２０４へ接続することを決定する。また、その逆も然りである。
【００４６】
第２の制御ユニット３４は、第１の端子２０２、第２の端子２０４及び処理モジュール１６と接続される。処理モジュール１６は電圧Ｖを出力して第２の制御ユニット３４をトリガし、第２の制御ユニット３４は、電圧Ｖにより第１の端子２０２と第２の端子２０４との接続を決定する。また、その逆も然りである。
【００４７】
ここで、第３実施形態では、第１の制御ユニット３２及び第２の制御ユニット３４を例にとり説明するが、他の実施形態では、第１の制御ユニット３２又は第２の制御ユニット３４だけを使用してもよい。
【００４８】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００４９】
２ 電子機器
１０ 電気コネクタ
１０’ 電気コネクタ
１０’’ 電気コネクタ
１２ 本体
１４ タッチユニット
１６ 処理モジュール
１６’ 処理モジュール
１８ 光源ユニット
２０ 接続モジュール
２２ 電気接続モジュール
２４ 第１の回路
２６ 第２の回路
２８ 第３の回路
３０ ケーブル
３２ 第１の制御ユニット
３４ 第２の制御ユニット
１２２ 収容部
１６２ 電圧ユニット
１６４ 第１のスイッチユニット
１６６ 第２のスイッチユニット
１６８ コンデンサ
２０２ 第１の端子
２０４ 第２の端子
１６１０ 第１の抵抗器
１６１２ 第２の抵抗器
Ｄ１ 第１のドレイン
Ｄ２ 第２のドレイン
ＤＡ データ
ＤＡ’ データ
Ｇ１ 第１のゲート
Ｇ２ 第２のゲート
Ｉ 電流
Ｉ’ 電流
Ｉ１ 第１の電流
Ｉ２ 第２の電流
Ｌ 光線
Ｓ１ 第１のソース
Ｓ２ 第２のソース
ＴＳ トリガ信号
Ｖ 電圧
ＶＧ１ 第１のゲート電圧
ＶＧ２ 第２のゲート電圧
【図１】
2014222643.tif 000003
【図２】
2014222643.tif 000004
【図３】
2014222643.tif 000005
【図４】
2014222643.tif 000006
【図５】
2014222643.tif 000007